(57)【要約】【課題】有隔膜電解槽１１にて生成される各電解生成水のうちの一方の電解生成水を、被電解水を調製するための原水の一部にて所定濃度に希釈して使用に適した濃度に調製する形式の電解水生成装置において、有隔膜電解槽１１の電解運転の開始および停止を、被電解水を調製するための原水の供給管路に介装した給水バルブ３２の開閉動作に応じて制御することによって、構成部品の部品点数を低減して、当該電解水生成装置を小型化し、かつ、廉価にする。【解決手段】原水供給管路３１における給水バルブ３２の下流側を、被電解水を調製する原水を供給する原水供給管路部３１ａと、電解生成水を希釈する希釈水を供給する希釈水供給管路部３１ｂとに分岐していて、原水供給管路３１に供給される原水が被電解水を調製する原水と電解生成水を希釈調製する希釈水とに一定の割合で分割されるようにした。【選択図】  図３
2011167600.tif 000002
【特許請求の範囲】
【請求項１】
有隔膜電解槽にて生成される各電解生成水のうちの一方の電解生成水を、被電解水を調製するための原水の一部にて所定濃度に希釈して使用に適した濃度に調製するとともに、他方の電解生成水を希釈調製しない電解水生成装置であり、当該電解水生成装置は、原水供給管路に介装した給水バルブの開閉動作に応じて電解運転の開始および停止を制御するもので、前記原水供給管路における前記給水バルブの下流側が被電解水を調製する原水を供給する原水供給管路部と、電解生成水を希釈する希釈水を供給する希釈水供給管路部に分岐していて、前記原水供給管路に供給される原水が被電解水を調製する原水と電解生成水を希釈調製する希釈水とに一定の割合で分割されることを特徴とする電解水生成装置。
【請求項２】
請求項１に記載の電解水生成装置であり、当該電解水生成装置は、前記原水供給管路における前記希釈水供給管路部の途中に介装された流量可変バルブ、および、流量計を備えていることを特徴とする電解水生成装置。
【請求項３】
請求項１または２に記載の電解水生成装置であり、当該電解水生成装置は、前記原水供給管路における前記希釈水供給管路部の途中に、前記有隔膜電解槽にて生成される一方の電解生成水を流出させる流出管路が接続されていて、当該接続部位が希釈される一方の電解生成水に吸引作用する負圧を発生する吸引負圧発生機構に構成されていることを特徴とする電解水生成装置。
【請求項４】
請求項１〜３のいずれか一項に記載の電解水生成装置であり、当該電解水生成装置は、希釈される一方の電解生成水の特性に応じて、同電解生成水と希釈水の混合割合を制御することを特徴とする電解水生成装置。
【請求項５】
請求項１〜４のいずれか一項に記載の電解水生成装置であり、当該電解水生成装置は、電解運転時の電解条件に応じて、一方の電解生成水と希釈水の混合割合を制御することを特徴とする電解水生成装置。
【発明の詳細な説明】
【技術分野】
【０００１】
本発明は電解水生成装置に関し、特に、電解槽にて生成される電解生成水を、被電解水を調製するための原水の一部にて所定濃度に希釈して、使用に適した濃度に調製する電解水生成装置に関する。
【背景技術】
【０００２】
電解槽にて生成される電解生成水を、被電解水を調製するための原水の一部にて所定濃度に希釈して、使用に適した濃度に調製する電解水生成装置は、すでに多数提案されている。例えば、無隔膜電解槽にて生成される略中性の電解生成水を、被電解水を調製するための原水の一部にて所定濃度に希釈することができる形式の電解水生成装置が提案されている（特許文献１、２，３を参照）。また、有隔膜電解槽にて生成される各電解生成水のうちの一方の電解生成水を、被電解水を調製するための原水の一部にて所定濃度に希釈することができる形式の電解水生成装置が提案されている（特許文献４を参照）。
【先行技術文献】
【特許文献】
【０００３】
【特許文献１】特開２００１−１３７８５３号公報
【特許文献２】特開２００１−２８６８６７号公報
【特許文献３】特開２００６−１５２２０号公報
【特許文献４】特開平４−４２０７７号公報
【発明の概要】
【発明が解決しようとする課題】
【０００４】
本発明は、有隔膜電解槽にて生成される各電解生成水のうちの一方の電解生成水を、被電解水を調製するための原水の一部にて所定濃度に希釈して使用に適した濃度に調製するとともに、他方の電解生成水を希釈しない形式の電解水生成装置を適用対象とするものである。当該形式の電解水生成装置は、上記した特許文献４にて提案されている電解水生成装置とは同一形式の電解水生成装置である。
【０００５】
しかしながら、特許文献４には、当該電解水生成装置の構成、および、電解運転が原理的に記載されているにすぎず、当該電解水生成装置における電解運転の開始および停止を如何に制御するかについては、何等の開示もない。当該形式の電解水生成装置においては、電解運転の開始および停止の制御の違いによって、当該制御を行い得るための装置の構成が異なるものである。
【０００６】
本発明の目的は、当該形式の電解水生成装置において、有隔膜電解槽の電解運転の開始および停止を、被電解水を調製するための原水の供給管路に介装した給水バルブの開閉動作に応じて制御することによって、構成部品の部品点数を低減して、電解水生成装置を小型化し、かつ、廉価にすることにある。
【課題を解決するための手段】
【０００７】
本発明は、電解水生成装置に関する。本発明が適用対象とする電解水生成装置は、有隔膜電解槽にて生成される各電解生成水のうちの一方の電解生成水を、被電解水を調製するための原水の一部にて所定濃度に希釈して使用に適した濃度に調製するとともに、他方の電解生成水を希釈調製しない形式の電解水生成装置を適用対象とするものある。
【０００８】
しかして、本発明に係る電解水生成装置においては、原水供給管路に介装した給水バルブの開閉動作に応じて電解運転の開始および停止を制御されるもので、前記原水供給管路における前記給水バルブの下流側が被電解水を調製する原水を供給する原水供給管路部と、電解生成水を希釈する希釈水を供給する希釈水供給管路部に分岐していて、前記原水供給管路に供給される原水が被電解水を調製する原水と電解生成水を希釈調製する希釈水とに一定の割合で分割されることを特徴とする電解水生成装置。
【０００９】
本発明に係る電解水生成装置においては、前記原水供給管路における前記希釈水供給管路部に、流量可変バルブおよび流量計を介装する構成とすることができる。また、当該電解水生成装置においては、前記原水供給管路における前記希釈水供給管路部の途中に、前記有隔膜電解槽にて生成される一方の電解生成水を流出させる流出管路を接続するとともに、当該接続部位を、希釈される一方の電解生成水に吸引作用する負圧を発生する吸引負圧発生機構に構成するようにすることができる。
【００１０】
また、本発明に係る電解水生成装置においては、希釈される一方の電解生成水の特性に応じて、一方の電解生成水と希釈水の混合割合を制御するようにし、また、電解運転時の電解条件に応じて、一方の電解生成水と希釈水の混合割合を制御するようにすることができる。
【発明の効果】
【００１１】
本発明に係る電解水生成装置においては、給水バルブの下流側を、被電解水を調製する原水を供給する原水供給管路部と、電解生成水を希釈する希釈水を供給する希釈水供給管路部に分岐して、被電解水を調製する原水と電解生成水を希釈調製する希釈水を、互いに一定の割合で供給されるように構成して、給水バルブの開閉動作に応じて有隔膜電解槽の電解運転の開始および停止を制御して、所定濃度に希釈された電解生成水を注出させるようにしている。
【００１２】
このように、本発明に係る電解水生成装置においては、一方の電解生成水を所定濃度に希釈される電解運転を、１個の給水バルブの開閉動作に応じて制御するよう構成しているため、当該電解水生成装置の構成部品の部品点数を低減して、当該電解水生成装置を小型化し、かつ、廉価にすることができる。
【００１３】
また、本発明に係る電解水生成装置においては、希釈水供給管路部に流量可変バルブを介装することにより、被電解水を調製する原水と電解生成水を希釈調製する希釈水との供給割合を変更することができ、これにより、注出される一方の電解生成水の希釈濃度を容易に変更することができて、所望濃度の電解生成水を注出することができる。
【００１４】
また、本発明に係る電解水生成装置においては、原水供給管路における希釈水供給管路部の途中に、有隔膜電解槽にて生成される一方の電解生成水を流出させる流出管路を接続し、当該接続部位を、希釈される一方の電解生成水に吸引作用する負圧を発生する吸引負圧発生機構に構成すれば、当該電解生成水を流出する給水ポンプおよび流量調整バルブ等が不要となって構造が一層簡単になり、また、流量可変バルブを通して供給される希釈流量が変動しても、当該電解生成水と希釈水とは安定して混合させることができる。
【００１５】
また、本発明に係る電解水生成装置においては、安定した流量の希釈水と、安定した特性の電解生成水とを混合することができるため、当該電解生成水のｐＨや、希釈水の流量に基づいて、注出される電解生成水の希釈濃度を的確に制御することができる。また、かかる制御の他に、電解運転時の電解電流値、電圧、被電解水の水温、水圧、使用電極、供給管路の管径等の電解条件から当該電解生成水のｐＨと供給流量を算出し、当該ｐＨと供給流量に基づいて、注出される電解生成水の希釈濃度を的確に制御することができる。
【図面の簡単な説明】
【００１６】
【図１】本発明に係る電解水生成装置の正面図である。
【図２】同電解水生成装置のケースを構成するフロントパネルおよび電装部品を搭載した仕切り板を省略した同電解水生成装置の正面図である。
【図３】同電解水生成装置を模式的に示す概略構成図である。
【図４】同電解水生成装置を構成する原水供給管路に設けた吸引負圧発生機構を示す縦断面図である。
【図５】同電解水生成装置を構成する有隔膜電解槽であって、生成される各電解生成水の使用を選択的に切換える構成の有隔膜電解槽の一例を示す正面図である。
【図６】生成される各電解生成水の使用を選択的に切換える構成の他の一例を示す正面図である。
【図７】同電解水生成装置を構成する有隔膜電解槽であって、塩水の導入に伴って被電解水供給管路に導入されたガスを排除し得る構成の有隔膜電解槽、原水供給管路部および被電解水供給管路を一体的に示す正面図である。
【発明を実施するための形態】
【００１７】
本発明は、有隔膜電解槽にて生成される各電解生成水のうちの一方の電解生成水を、被電解水を調製するための原水の一部にて所定濃度に希釈して使用に適した濃度に調製するとともに、他方の電解生成水を希釈調製しない電解水生成装置に関する。図１〜図３には、本発明に係る電解水生成装置の一実施形態を示している。
【００１８】
本発明の一実施形態に係る電解水生成装置は、有隔膜電解槽にて生成される各電解生成水のうち、陽極側電解室で生成される電解生成酸性水を希釈調製して注出するとともに、陰極側電解室で生成される電解生成アルカリ性水を何等の調製を施すことなく排水するように構成したものである。
【００１９】
当該電解水生成装置は、外殻を構成するケースＡ内に、装置を構成する構成部品のユニットＢと、当該ユニットＢの電解運転に関わる電装部品を搭載した図示しない仕切り板とを一体に収容してなるものである。図１は当該電解水生成装置の正面図、図２は当該電解生成装置のフロントパネルａを省略してケースＡ内に収容した構成部品のユニットＢを示す正面図、図３は当該電解水生成装置の構成を模式的に示す概略構成図である。
【００２０】
当該電解水生成装置は、電解生成水を生成する電解水生成機構１０、濃塩水を供給する塩水供給機構２０、および、被電解水を調製する原水および電解生成水を希釈する希釈水を供給する原水供給機構３０と、電解運転に関わる図示しない多数の電装部品にて構成されている。
【００２１】
電解水生成機構１０は、有隔膜電解槽１１を主体とするもので、有隔膜電解槽１１の陽極側電解室と陰極側電解室の上流側には、被電解水を供給するための被電解水供給管路１２（１２ａ，１２ｂ）が接続されており、また、有隔膜電解槽１１の陽極側電解室と陰極側電解室の下流側には、陽極側電解室にて生成される電解生成酸性水を流出させる流出管路１３ａ、および、陰極側電解室にて生成される電解生成アルカリ性水を流出させる流出管路１３ｂが接続されている。
【００２２】
塩水供給機構２０は、一定濃度の濃塩水を収容する塩水タンク２１と、塩水タンク２１と被電解水供給管路１２の先端とに接続する塩水供給管路２２と、塩水供給管路２２に介装された塩水供給ポンプ２３とかなる。当該塩水供給機構２０においては、電解運転時、塩水供給ポンプ２３を駆動して、一定濃度の塩水を、塩水供給管路２２を介して一定流量で、被電解水供給管路１２に対する供給する。
【００２３】
但し、塩水タンク２１はケースＡの外に位置していて、塩水供給管路２２の上流側管路部２２ａにて、塩水供給ポンプ２３の流入口部に接続している。また、塩水供給ポンプ２２３の吐出口部に接続されている下流側管路部２２ｂは、被電解水供給管路１２の基端部に接続されている。かかる状態で、塩水供給管路２２は、塩水タンク２１と被電解水供給管路１２を接続し、その途中に塩水供給ポンプ２３を位置させている。なお、符号２２ｃは、塩水供給管路２２の下流側管路部２２ｂが被電解水供給管路１２に接続する接続部位を示している。
【００２４】
塩水タンク２１から被電解水供給管路１２への塩水の供給は、電解運転の開始から停止するまで継続され、継続して供給される塩水は、電解運転中、被電解水供給管路１２に継続して供給される原水にて希釈されて、所定濃度に希釈された希薄塩水（被電解水）に調製される。
【００２５】
原水供給機構３０は、原水を供給する主管路３１を主体とするもので、主管路３１は、その途中で互いに分岐する一対の分岐管路部３１ａ，３１ｂを備えており、主管路３１における当該分岐部より上流側に給水バルブ３２が介装されている。
【００２６】
原水供給機構３０においては、分岐管路部の一方の分岐管路３１ａは、被電解水を調製するための原水を供給する原水供給管路部３１ａに構成され、かつ、分岐管路部の他方の分岐管路３１ｂは、電解生成水を希釈するための希釈水を供給する希釈水供給管路部３１ｂに構成されている。原水供給管路部３１ａは、被電解水供給管路１２の分岐部位より上流側の部位に接続されていて、被電解水供給管路１２に被電解水を調製するための原水が供給されるように構成されている。原水供給管路部３１ａを通して被電解水供給管路１２に供給された原水は、被電解水供給管路１２に継続して供給される塩水を希釈して、所定濃度の被電解水を調製する。
【００２７】
原水供給機構３０を構成する希釈水供給管路部３１ｂには、その途中に、電解生成酸性水の流出管路１３ａが接続されていて、希釈水供給管路部３１ｂの途中に電解生成酸性水が供給されるように構成されている。希釈水供給管路部３１ｂに供給された電解生成酸性水は、希釈水供給管路部３１ｂを流動する希釈水に供給されて、所定濃度に希釈されて、希釈水供給管路部３１ｂの先端に設けた後述する注出口３７から注出される。
【００２８】
当該原水供給機構３０においては、原水供給機構３０を構成する主管路３１の給水バルブ３２より上流側には減圧バルブ３３が介装されて、また、希釈水供給管路部３１ｂにおける分岐部と流出管路１３ａの接続部間には、流量可変バルブ３４と流量計３５が介装されている。また、当該原水供給機構３０においては、希釈水供給管路部３１ｂと流出管路部１３ａが接続する接続部位は、吸引負圧発生機構３０ａに構成されている。
【００２９】
吸引負圧発生機構３０ａは、図４に示すように、アスピレター構造を構成する構造部材３６からなり、当該構造部材３６を構成する主管路部３６ａを希釈水供給管路部３１ｂの先端部に接続するとともに、主管路部３６ａの途中から分岐する分岐管路部３６ｂを流出管路１３ａの先端部に接続することにより、吸引負圧発生機構３０ａを構成している。なお、構造部材３６における主管路部３６ａの先端部には、注出口部３７が取付けられている。
【００３０】
かかる構成の吸引負圧発生機構３０ａにおいては、希釈水が主管路部３６ａの流量絞り部３６ｃを流通する際に負圧が発生する。発生した負圧は、流出管路１３ａの先端部に臨む電解生成酸性水に対して吸引負圧として作用し、当該電解生成酸性は吸引負圧、換言すれば、希釈水の単位時間当たりの流量（流速）に応じて、主管路部３６ａ内に流入する。
【００３１】
なお、図３の符号３８はサーミスタを示し、符号１４は流量計を示し、符号１５は三方切換バルブを示している。三方切換バルブ１５は、有隔膜電解槽１１内を洗浄する洗浄運転時に、電解生成酸性水を排水すべく機能する。
【００３２】
当該電解水生成装置は、図示しない制御装置によって電解運転を制御されるもので、原水供給機構３０の主管路３１に介装した給水バルブ３２の開閉動作に応じて、電解運転の開始および停止を制御する。また、当該電解水生成装置を構成する原水供給管路３１においては、主管路３１に供給された原水は、原水供給管路部３１ａと希釈水供給管路部３１ｂに分割して供給されるように構成されているが、その分割割合は、両供給管路部３１ａ，３１ｂの分岐部位、および、両供給管路部３１ａ，３１ｂの管路抵抗等によって、一定の分割割合に設定されている。
【００３３】
当該電解水生成装置においては、例えば、原水供給管路３１ａに流入する原水の時間当たりの流量Ｆ1と、希釈水供給管路部３１ｂに流入する希釈水の時間当たりの流量Ｆ2は、（Ｆ1：Ｆ2＝１：１〜１：３）の分割割合になるように設定される。これにより、有隔膜電解槽１１にて生成される各電解生成水のうち、排水すべき電解生成アルカリ性水の流量を極力少なくなるように配慮している。なお、原水の流量Ｆ1と希釈水の流量Ｆ2との分割割合は、希釈供給管路３１ｂに介装されている流量可変バルブ３４の可変操作にて所望の割合に変更することができる。
【００３４】
当該電解水生成装置においては、消費者が注出スイッチ等を操作して給水バルブ３２を開成することにより、電解運転が開始される。当該電解水生成装置が搭載する制御装置は、給水バルブ３２の開成動作を検出すると電解運転を開始し、原水と塩水とで希釈調製された希薄塩水である被電解水を有隔膜電解槽１１の各電解室に連続して供給し、有隔膜電解槽１１にて、一定の電解条件下での有隔膜電解を行う。
【００３５】
有隔膜電解にて生成された各電解生成水のうち、陽極側電解室にて生成された電解生成酸性水は流出管路１３ａを通して希釈水供給管路部３１に供給され、また、陰極側電解室にて生成された電解生成アルカリ性水は流出管路１３ｂを通して排水される。
【００３６】
しかして、陽極側電解室にて生成された電解生成酸性水は、流出管路１３ａを通して希釈水供給管路部３１ｂ側に流入して吸引負圧発生機構３０ａの構成部材３６の分岐管路部３６ｂに臨み、構成部材３６ａの主管路部３６ａに設けてある流量絞り部３６ｃを流通する希釈水にて発生する吸引負圧の吸引作用を受ける。これにより、一定流量の電解生成酸性水が継続して主管路部３６ａ内に流入され、主管路部３６ａ内を流動する希釈水にて一定濃度に希釈されて、主管路部３６ａの先端部に設けてある注出口部３７から注出されることになる。
【００３７】
当該電解水生成装置の以上に示した電解運転は、消費者が給水バルブ３２を閉成操作することによって停止する。なお、給水バルブ３２は、電解運転が所定時間経過した時点で、自動的に閉成するように構成することができる。制御装置は、給水バルブ３２の閉成動作を検出した場合に電解運転を停止する。
【００３８】
このように、本発明に係る電解水生成装置においては、原水供給機構３０を構成する原水供給管路３１に介装した給水バルブ３２の下流側を、被電解水を調製する原水を供給する原水供給管路部３１ａと、電解生成水を希釈する希釈水を供給する希釈水供給管路部３１ｂに構成して、被電解水を調製する原水と電解生成水を希釈調製する希釈水を、互いに一定の割合で供給されるように構成して、給水バルブ３２の開閉動作に応じて有隔膜電解槽１１の電解運転の開始および停止を制御して、所定濃度に希釈された電解生成酸性水を注出するようにしている。このため、当該電解水生成装置においては、１個の給水バルブ３２の開閉動作に応じて電解運転の開始および停止を制御することができ、装置の構成部品の部品点数を低減して、当該電解水生成装置を小型化し、かつ、廉価にすることができる。
【００３９】
また、本発明に係る電解水生成装置においては、希釈水供給管路部３１ｂに流量可変バルブ３４を介装して、被電解水を調製する原水と電解生成水を希釈調製する希釈水との供給割合を変更することができるようにしているため、電解生成酸性水の希釈濃度を容易に変更することができて、所望濃度に希釈された電解生成酸性水を注出することができる。
【００４０】
また、本発明に係る電解水生成装置においては、原水供給管路の希釈水供給管路部３１ｂの途中に、有隔膜電解槽１１から電解生成酸性水を流出させる流出管路１３ａを接続するとともに、当該接続部位を、希釈される電解生成酸性水に吸引作用する負圧を発生する吸引負圧発生機構３０ａに構成しているため、当該電解生成酸性水を流出する給水ポンプおよび流量調整バルブ等が不要となって構造が一層簡単になり、また、流量可変バルブ３４を通して供給される希釈水の流量が変動しても、当該電解生成酸性水と希釈水とは安定した状態で混合させることができる。
【００４１】
また、本発明に係る電解水生成装置においては、安定した流量の希釈水と、安定した特性の電解生成水とを混合することができるため、当該電解生成水のｐＨや、希釈水の流量に基づいて、注出される希釈電解生成酸性水の希釈濃度を的確に制御することができる。また、かかる制御の他に、電解運転時の電解電流値、電圧、被電解水の水温、水圧、使用電極、配管の管径等の電解条件から、電解生成酸性水のｐＨと供給流量を算出し、当該ｐＨと供給流量に基づいて、注出される電解生成酸性水の希釈濃度を的確に制御することができる。
【００４２】
本発明に係る電解水生成装置においては、有隔膜電解槽１１にて生成される各電解生成水の使用を選択的に切換えることができるように構成されている。図５および図６には、各電解生成水の使用を選択的に切換えることができる有隔膜電解槽１１の正面を示している。
【００４３】
図５に示す有隔膜電解槽１１においては、陽極側電解室に設けた電解生成酸性水の流出口部１１ａ、および、陰極側電解室に設けた電解生成アルカリ性水の流出口部１１ｂを、各電解生成水の流出管路１３ａ，１３ｂが互いに差し替えることができるように構成している。
【００４４】
このため、図５に示すように、当該電解水生成装置を構成する電解生成酸性水の流出管路１３ａを陰極側電解室の電解生成アルカリ性水の流出口部１１ｂに接続し、電解生成アルカリ性水の流出管路１３ｂを陽極側電解室の電解生成酸性水の流出口部１１ａに接続すれば、流出管路１３ａは電解生成アルカリ性水を流出させる流出管路として機能し、また、流出管路１３ｂは電解生成酸性水を流出させる流出管路として機能する。これにより、各電解生成水を選択的に使い分けすることができる。
【００４５】
また、このような接続態様の有隔膜電解槽１１においては、流出管路１３ａを通して電解生成アルカリ性水を希釈水供給管路部３１ｂに供給することができる構成とすることができ、電解生成アルカリ性水を希釈水にて希釈して、適宜の濃度に希釈された電解生成アルカリ性水を注出することができる。
【００４６】
図６に示す有隔膜電解槽１１は、陽極側電解室の電解生成酸性水の流出口部１１ａ、および。陰極側電解室の電解生成アルカリ性水の流出口部１１ｂを、流出管路に接続されるＹ型継手管１７の分岐管路部１７ａ、１７ｂに差し替えることができるように構成している。
【００４７】
このため、図６に示すように、電解水生成装置を構成するいずれか一方の流出管路１３ａまたは他の流出管路１６をＹ型継手管１７に接続すれば、有隔膜電解槽１１にて生成される電解生成酸性水と電解生成アルカリ性水を混合した状態で流出管路１３ａまたは流出管路１６へ流出することができ、流出管路１３ａ，１６から略中性の電解生成水を注出することができる。
【００４８】
本発明に係る電解水生成装置においては、塩水（電解質溶液）を伴ってガスが被電解水供給管路１２に流入することがあることを想定して、流入ガスを排除し得るように構成している。当該電解水生成装置においては、図７に示すように、原水供給管路部３１ａの下流側にて被電解水供給管路１２の先端部に接続されている塩水供給管路の接続部位２２ｃを、原水供給管路部３１ａと略同一高さの位置とし、かつ、被電解水を各電解室に導入するための導入口部１１ｃまでを常に水平または上り勾配の管路としている。
【００４９】
これにより、塩水の導入に伴い導入されたガスは、原水供給管路３１ａと被電解水供給管路１２のこのような配管関係に基づく被電解水の流動によって、電解槽１１の各電解室へ円滑に移行し、各電解室から各電解生成水とともに排出されることになる。
【符号の説明】
【００５０】
Ａ…ケース、ａ…フロントパネル、Ｂ…構成部品のユニット、１０…電解生成水生成機構、１１…有隔膜電解槽、１１ａ，１１ｂ…電解生成水の流出口部、１１ｃ…被電解水の導入口部、１２（１２ａ，１２ｂ）…被電解水供給管路、１２ｃ…流量計、１３ａ…電解生成酸性水の流出管路、１３ｂ…電解生成アルカリ性水の流出管路、１４…流量計、１５…三方切換バルブ、１６…流出管路、１７…Ｙ型継手管、１７ａ，１７ｂ…分岐管路部、２０…塩水供給機構、２１…塩水タンク、２２…塩水供給管路、２２ａ…上流側管路部、２２ｂ…下流側管路部、２２ｃ…塩水供給管路の接続部位、２３…塩水供給ポンプ、３０…原水供給機構、３０ａ…吸引負圧発生機構、３１…原水供給管路の主管路、３１ａ…原水供給管路部、３１ｂ…希釈供給管路部、３２…給水バルブ、３３…減圧バルブ、３４…流量可変バルブ、３５…流量計、３６…吸引負圧発生機構の構成部材、３６ａ…主管路部、３６ｂ…分岐管路部、３６ｃ…流量絞り部、３７…注出口部、３８…サーミスタ。
【図１】
2011167600.tif 000003
【図２】
2011167600.tif 000004
【図３】
2011167600.tif 000005
【図４】
2011167600.tif 000006
【図５】
2011167600.tif 000007
【図６】
2011167600.tif 000008
【図７】
2011167600.tif 000009